(57)【特許請求の範囲】
【請求項１】
ユーザーが、索引文字を表示するために用いられる文字索引領域内の目的の文字をトリガーした後、端末が、前記目的の文字によって集約された情報を、検索すべき情報を表示するために用いられる情報表示領域に表示するステップと、
前記端末が、前記ユーザーによってトリガーされた第１の指定の操作を受け付け、前記情報表示領域に表示された、前記目的の文字によって集約された情報をロックすることにより、前記情報表示領域が前記ユーザーによってトリガーされたページ切替操作を受け付けた後に、現在表示されている情報の範囲内でのみ前記情報表示領域に表示される情報が切り替えられるようにするステップと、
を含む、情報検索方法。
【請求項２】
前記第１の指定の操作は、前記目的の文字をダブルタップする操作と、前記目的の文字をタッチしたまま保持する操作とのうち少なくとも１つを含む、
請求項１に記載の情報検索方法。
【請求項３】
前記ユーザーが前記文字索引領域内の前記目的の文字をトリガーするときに、前記端末が、前記情報表示領域内の前記目的の文字を拡大するステップ
を更に含み、
前記第１の指定の操作は、前記拡大された目的の文字をタップする操作と、前記拡大された目的の文字をダブルタップする操作と、前記拡大された目的の文字をタッチしたまま保持する操作とのうち少なくとも１つを含む、
請求項１又は２に記載の情報検索方法。
【請求項４】
前記端末が、前記ユーザーによってトリガーされた第２の指定の操作を受け付け、前記情報表示領域に表示された情報のロックを解除することにより、前記情報表示領域が前記ユーザーによってトリガーされた前記ページ切替操作を受け付けた後に、全情報の範囲内で前記情報表示領域に表示される情報が切り替えられるようにするステップ
を更に含む、請求項１〜３のうちいずれか一項に記載の情報検索方法。
【請求項５】
前記第２の指定の操作は、前記文字索引領域又は任意の空白領域をダブルタップする操作と、前記文字索引領域又は任意の空白領域をタッチしたまま保持する操作とのうち少なくとも１つを含む、
請求項４に記載の情報検索方法。
【請求項６】
ユーザーが、索引文字を表示するために用いられる文字索引領域内の目的の文字をトリガーした後、前記目的の文字によって集約された情報を、検索すべき情報を表示するために用いられる情報表示領域に表示するように構成される第１の表示部と、
前記ユーザーによってトリガーされた第１の指定の操作を受け付け、前記情報表示領域に表示された、前記目的の文字によって集約された情報をロックするように構成されることにより、前記情報表示領域が前記ユーザーによってトリガーされたページ切替操作を受け付けた後に、現在表示されている情報の範囲内でのみ前記情報表示領域に表示される情報が切り替えられるようにするロック部と、
を備える、端末。
【請求項７】
前記ロック部によって受け付けられる前記第１の指定の操作は、前記目的の文字をダブルタップする操作と、前記目的の文字をタッチしたまま保持する操作とのうち少なくとも１つを含む、
請求項６に記載の端末。
【請求項８】
前記ユーザーが前記文字索引領域内の前記目的の文字をトリガーするときに、前記情報表示領域内の前記目的の文字を拡大するように構成される第２の表示部
を更に備え、
前記第２の表示部を有する端末において、前記ロック部によって受け付けられる前記第１の指定の操作は、前記拡大された目的の文字をタップする操作と、前記拡大された目的の文字をダブルタップする操作と、前記拡大された目的の文字をタッチしたまま保持する操作とのうち少なくとも１つを含む、
請求項６又は７に記載の端末。
【請求項９】
前記ユーザーによってトリガーされた第２の指定の操作を受け付け、前記情報表示領域に表示された情報のロックを解除するように構成されることにより、前記情報表示領域が前記ユーザーによってトリガーされた前記ページ切替操作を受け付けた後に、全情報の範囲内で前記情報表示領域に表示される情報が切り替えられるようにするロック解除部
を更に備える、請求項６〜８のいずれか一項に記載の端末。
【請求項１０】
前記ロック解除部によって受け付けられる前記第２の指定の操作は、前記文字索引領域又は任意の空白領域をダブルタップする操作と、前記文字索引領域又は任意の空白領域をタッチしたまま保持する操作とのうち少なくとも１つを含む、
請求項９に記載の端末。
【発明の詳細な説明】
【技術分野】
【０００１】
関連出願の相互参照
本願は、２０１２年２月２９日に中国特許庁に出願された「情報検索方法及び端末」と題する中国特許出願第２０１２１００５００９６．３号に基づく優先権を主張し、その全体を参照することにより本明細書に援用する。
【０００２】
本発明は通信技術の分野に関し、詳細には、情報検索方法及び端末に関する。
【背景技術】
【０００３】
通信技術の継続的な発達に伴い、端末はますます高性能になり、連絡先情報やファイル情報等、ますます多くの情報を格納できるようになっている。情報の増加により、情報検索はかなり不便になる。端末に格納された連絡先情報を検索する場合を例に挙げる。アドレス帳を有する端末内において連絡先を検索するには、様々な方法がある。現在一般に用いられユーザーにとって使いやすい検索方法には、以下のものがある。
【０００４】
図１に示すように、画面の中央領域及び左側領域は連絡先情報表示領域であり、右側領域は文字索引領域である。文字索引領域内の目的の文字に指が置かれると、システムは、アドレス帳において、目的の文字を頭文字とする第１の連絡先に関する情報を検索し、更に、該連絡先に関する情報から順に、連絡先情報表示領域に情報の表示を行う。指は目的の文字から離れてもよく、連絡先情報表示領域において目的の連絡先を検索することができる。
【発明の概要】
【発明が解決しようとする課題】
【０００５】
上述の連絡先検索を実行するプロセスにおいて、本発明の発明者は、従来技術には少なくとも以下の問題があることを発見した。すなわち、連絡先情報表示領域において目的の連絡先を選択する際に文字索引領域内の他の文字に指がたまたま触れると、文字索引領域において目的の文字を再選択する必要があり、操作上非常に不便である。
【課題を解決するための手段】
【０００６】
本発明の実施形態は、情報検索方法及び端末を提供し、情報検索プロセスにおける操作上の不便という問題を解決する。
【０００７】
上記目的を達成するために、本発明の実施形態において、以下の技術的解決法が適用される。情報検索方法は、
ユーザーが、索引文字を表示する文字索引領域内の目的の文字をトリガーした後、該目的の文字に基づいて集約された情報を、検索すべき情報を表示する情報表示領域に表示するステップと、
該ユーザーによってトリガーされた第１の指定の操作を受け付け、該情報表示領域に表示された情報をロックすることにより、該情報表示領域が該ユーザーによってトリガーされたページ切替操作を受け付けた後に、該目的の文字に基づいて集約された情報の範囲内でのみ該情報表示領域に表示される情報が切り替えられるようにするステップと、
を含む。
端末は、
ユーザーが、索引文字を表示する文字索引領域内の目的の文字をトリガーした後、該目的の文字に基づいて集約された情報を、検索すべき情報を表示する情報表示領域に表示する第１の表示部と、
該ユーザーによってトリガーされた第１の指定の操作を受け付け、該情報表示領域に表示された情報をロックすることにより、該情報表示領域が該ユーザーによってトリガーされたページ切替操作を受け付けた後に、該目的の文字に基づいて集約された情報の範囲内でのみ該情報表示領域に表示される情報が切り替えられるようにするロック部と、
を備える。
【０００８】
本発明の実施形態において提供される技術的解決法により、ユーザーが目的の文字を選択すると、情報表示領域に表示される情報をロックすることができる。こうして、ユーザーが情報表示領域内で目的の情報を選択する際にたまたま他の索引文字に指を触れたせいで、文字索引領域で目的の文字を再選択するという不要な操作が発生することを回避でき、操作がより快適になる。
【図面の簡単な説明】
【０００９】
本発明の実施形態における技術的解決法又は従来技術における技術的解決法をより明瞭に説明するために、以下に、実施形態又は従来技術を説明する際に必要な添付の図面を簡単に紹介する。当然ながら、添付の図面は、以下の記載において単に本発明の実施形態の一部を示すものに過ぎない。当業者であれば、創意工夫がなくとも、これらの添付図面から他の図面を導き出せるであろう。
【００１０】
【図１】従来技術における端末の表示インターフェースに表示された情報検索方法の概略図である。
【図２】本発明の一実施形態に係る情報検索方法のフローチャートである。
【図３】本発明の一実施形態に係る別の情報検索方法のフローチャートである。
【図４】本発明の一実施形態に係る端末の構造図である。
【図５】本発明の一実施形態に係る他の端末の構造図である。
【発明を実施するための形態】
【００１１】
以下、添付の図面を参照して、本発明の実施形態における技術的解決法を明瞭且つ完全に記載する。当然ながら、記載される実施形態は本発明の実施形態の一部に過ぎず、全てではない。当業者が本発明の実施形態に基づいて創意工夫なく得た他の実施形態は全て、本発明の保護範囲に該当するものとする。
【００１２】
本発明の一実施形態は、図２に示されるような情報検索方法を提供する。該方法は、以下のステップを含む。
【００１３】
２０１。ユーザーが文字索引領域内の目的の文字をトリガーした後、該目的の文字に基づいて集約された情報を情報表示領域に表示する。
【００１４】
情報を検索する必要がある場合、ユーザーはまず、文字索引領域において、目的の情報に対応する目的の文字を見つけることができる。ユーザーが目的の文字をトリガーすると、該目的の文字に基づいて集約された情報が、情報表示領域にひとつひとつ表示される。ここで、文字索引領域は索引文字の表示に用いられ、情報表示領域は検索すべき情報の表示に用いられる。
【００１５】
目的の文字に基づいて集約される情報は、各種検索情報及び各種検索方針に従って、該目的の文字を頭文字とする情報であってもよいし、そのファイル名に目的の文字を含む情報であってもよいし、そのファイルが目的の文字を含む情報であってもよい。本発明の本実施形態は、これらに限定されない。
【００１６】
２０２。ユーザーによってトリガーされた第１の指定の操作を受け付け、情報表示領域に表示された情報をロックすることにより、情報表示領域がユーザーによってトリガーされたページ切替操作を受け付けた後、該目的の文字に基づいて集約された情報の範囲内でのみ情報表示領域に表示される情報が切り替えられるようにする。
【００１７】
目的の文字に基づいて集約された情報の範囲内のみを検索すればいい場合、ユーザーは第１の指定の操作をトリガーして、情報表示領域に表示された内容をロックすることができる。その結果、情報表示領域に表示される情報は、目的の文字に基づいて集約された情報のみに限定されるので、ユーザーが目的の情報を検索するのに便利である。
【００１８】
本実施形態において提供される情報検索方法によれば、ユーザーが文字索引領域内の目的の文字をトリガーした後、該目的の文字に基づいて集約された情報が情報表示領域に表示される。そして、ユーザーによってトリガーされた第１の指定の操作が受け付けられ、情報表示領域に表示された情報がロックされる。その結果、情報表示領域がユーザーによってトリガーされたページ切替操作を受け付けた後に、該目的の文字に基づいて集約された情報の範囲内でのみ情報表示領域に表示される情報が切り替えられる。こうして、ユーザーが情報表示領域内で目的の情報を選択する際にたまたま他の索引文字に指を触れたせいで、文字索引領域で目的の文字を再選択するという不要な操作が発生することを回避でき、操作がより快適になる。
【００１９】
本実施形態の改良として、本発明の一実施形態は、図３に示されるような他の情報検索方法を提供する。該方法は、以下のステップを含む。
【００２０】
３０１。ユーザーが文字索引領域内の目的の文字をトリガーした後、該目的の文字に基づいて集約された情報を情報表示領域に表示する。
【００２１】
本実施形態を説明するために、Ａｎｄｒｏｉｄシステムを用いた携帯電話等の携帯電話の連絡先情報を検索する場合を例に挙げる。図１に示すように、連絡先が検索されているとき、携帯電話のインターフェースには、文字索引領域及び連絡先情報表示領域が含まれる。本実施形態において目的の文字に基づいて集約される情報は、目的の文字を頭文字とする連絡先に関する情報を指す場合がある。
【００２２】
連絡先を検索する必要があるとき、ユーザーはまず、目的の連絡先の頭文字（すなわち目的の文字）を文字索引領域内で見つけ出すことができる。それからユーザーは、目的の文字をトリガーする。ユーザーが文字索引領域内の目的の文字をトリガーしたとき、連絡先情報表示領域において、同時に目的の文字が拡大されるようにしてもよい。ユーザーが文字索引領域内の目的の文字をトリガーしたとき、及びユーザーが文字索引領域内の目的の文字をトリガーした後、該目的の文字を頭文字とする連絡先に関する情報が、連絡先情報表示領域に表示される。ここで、文字索引領域は索引文字の表示に用いられ、連絡先情報表示領域は検索される連絡先に関する情報の表示に用いられる。
【００２３】
３０２。ユーザーによってトリガーされた第１の指定の操作を受け付け、情報表示領域に表示された情報をロックすることにより、情報表示領域がユーザーによってトリガーされたページ切替操作を受け付けた後に、該目的の文字に基づいて集約された情報の範囲内でのみ情報表示領域に表示される情報が切り替えられるようにする。
【００２４】
目的の文字を頭文字とする連絡先のみ検索を行えばいい場合、ユーザーは、第１の指定の操作をトリガーして、携帯電話画面の連絡先情報表示領域に表示された内容をロックすることができる。その結果、連絡先情報表示領域に表示される連絡先情報は、目的の文字を頭文字とする連絡先に関する情報のみに限定される。よって、ユーザーが目的の連絡先を検索するのに便利であり、誤操作を原因とする操作の繰り返しを低減できる。誤操作が起こった場合でも、連絡先情報表示領域に表示される内容は、目的の文字を頭文字とする連絡先についての情報の範囲内でのみ切り替えられる。
【００２５】
第１の指定の操作は、目的の文字をダブルタップする操作と、目的の文字にタッチしたまま保持する操作のうち少なくとも１つであってよい。すなわち、文字索引領域内の目的の文字をトリガーする際、ユーザーは、目的の文字をダブルタップするか、又は目的の文字をタッチしたまま保持するか、又は目的の文字をダブルタップしながらタッチしたまま保持する。ユーザーが文字索引領域内の目的の文字をトリガーするのと同時に連絡先情報表示領域内の目的の文字を拡大する場合は、第１の指定の操作は、以下の操作のうち少なくとも１つであってよい。すなわち、ユーザーが文字索引領域内の目的の文字をトリガーする際に、拡大された目的の文字をタップする操作と、拡大された目的の文字をダブルタップする操作と、拡大された目的の文字をタッチしたまま保持する操作とのうち少なくとも１つであってよい。
【００２６】
３０３。ユーザーによってトリガーされた第２の指定の操作を受け付け、情報表示領域に表示された情報のロックを解除することにより、情報表示領域がユーザーによってトリガーされたページ切替操作を受け付けた後に、全情報の範囲内で情報表示領域に表示される情報が切り替えられるようにする。
【００２７】
情報のロックを解除して検索範囲を広げたい場合、ユーザーは、第２の指定の操作を行うことができる。携帯電話は、ユーザーによってトリガーされた第２の指定の操作を受け付け、連絡先情報表示領域に表示された内容のロックを解除する。その結果、連絡先情報表示領域がユーザーによってトリガーされたページ切替操作を受け付けた後に、全情報の範囲内で情報表示領域に表示される情報が切り替えられる。
【００２８】
第２の指定の操作は、文字索引領域又は任意の空白領域をダブルタップする操作と、文字索引領域又は任意の空白領域をタッチしたまま保持する操作とのうち少なくとも１つであってよい。
【００２９】
本実施形態において提供される情報検索方法によれば、ユーザーが文字索引領域内の目的の文字をトリガーした後、該目的の文字に基づいて集約された情報が情報表示領域に表示される。そして、ユーザーによってトリガーされた第１の指定の操作が受け付けられ、情報表示領域に表示された情報がロックされる。その結果、情報表示領域がユーザーによってトリガーされたページ切替操作を受け付けた後に、該目的の文字に基づいて集約された情報の範囲内でのみ情報表示領域に表示される情報が切り替えられる。こうして、ユーザーが情報表示領域内で目的の情報を選択する際にたまたま他の索引文字に指を触れたせいで、文字索引領域で目的の文字を再選択するという不要な操作が発生することを回避でき、操作がより快適になる。
【００３０】
本発明の本実施形態において、端末の種類は限定されず、携帯電話やタブレット型コンピューター等の携帯端末であってよい。
【００３１】
本発明の一実施形態は、図４に示すような端末を更に提供する。該端末は、第１の表示部４１及びロック部４２を有する。
【００３２】
第１の表示部４１は、ユーザーが文字索引領域内の目的の文字をトリガーした後、該目的の文字に基づいて集約された情報を情報表示領域に表示するように構成される。ここで、文字索引領域は索引文字の表示に用いられ、情報表示領域は検索すべき情報の表示に用いられる。
【００３３】
ロック部４２は、ユーザーによってトリガーされた第１の指定の操作を受け付け、情報表示領域に表示された情報をロックすることにより、情報表示領域がユーザーによってトリガーされたページ切替操作を受け付けた後に、該目的の文字に基づいて集約された情報の範囲内でのみ情報表示領域に表示される情報が切り替えられるようにする。
【００３４】
本実施形態において提供される端末によれば、ユーザーが文字索引領域内の目的の文字をトリガーした後、第１の表示部は、該目的の文字に基づいて集約された情報を情報表示領域に表示する。ロック部は、ユーザーによってトリガーされた第１の指定の操作を受け付け、情報表示領域に表示された情報をロックすることにより、情報表示領域がユーザーによってトリガーされたページ切替操作を受け付けた後に、該目的の文字に基づいて集約された情報の範囲内でのみ情報表示領域に表示される情報が切り替えられるようにする。こうして、ユーザーが情報表示領域内の目的の情報を選択する際にたまたま他の索引文字に指を触れたせいで、文字索引領域で目的の文字を再選択するという不要な操作が発生することを回避でき、操作がより快適になる。
【００３５】
本実施形態の改良として、本発明の一実施形態は、図５に示されるような他の端末を更に提供する。該端末は、第１の表示部５１と、ロック部５２と、ロック解除部５３とを有する。
【００３６】
第１の表示部５１は、ユーザーが文字索引領域内の目的の文字をトリガーした後、該目的の文字に基づいて集約された情報を情報表示領域に表示するように構成される。ここで、文字索引領域は索引文字の表示に用いられ、情報表示領域は検索すべき情報の表示に用いられる。
【００３７】
ロック部５２は、ユーザーによってトリガーされた第１の指定の操作を受け付け、情報表示領域に表示された情報をロックすることにより、情報表示領域がユーザーによってトリガーされたページ切替操作を受け付けた後に、該目的の文字に基づいて集約された情報の範囲内でのみ情報表示領域に表示される情報が切り替えられるようにする。
【００３８】
具体的には、ロック部５２によって受け付けられる第１の指定の操作は、目的の文字をダブルタップする操作と、目的の文字にタッチしたまま保持する操作とのうち少なくとも１つであってよい。
【００３９】
ロック解除部５３は、ユーザーによってトリガーされた第２の指定の操作を受け付け、情報表示領域に表示された情報のロックを解除することにより、ユーザーによってトリガーされたページ切替操作を受け付けた後に、全情報の範囲内で情報表示領域に表示される情報が切り替えられるようにする。
【００４０】
具体的には、ロック解除部５３によって受け付けられる第２の指定の操作は、文字索引領域又は任意の空白領域をダブルタップする操作と、文字索引領域又は任意の空白領域をタッチしたまま保持する操作とのうち少なくとも１つを含んでよい。
【００４１】
任意に、端末は、第２の表示部５４を更に有してもよい。第２の表示部５４は、ユーザーが文字索引領域内の目的の文字をトリガーした時に、情報表示領域の目的の文字を拡大するように構成される。
【００４２】
第２の表示部５４が設けられる場合、ロック部によって受け付けられる第１の指定の操作は、拡大された目的の文字をタップする操作と、拡大された目的の文字をダブルタップする操作と、拡大された目的の文字をタッチしたまま保持する操作とのうち少なくとも１つを含む。
【００４３】
本実施形態において提供される端末によれば、ユーザーが文字索引領域内の目的の文字をトリガーした後、第１の表示部は、該目的の文字に基づいて集約された情報を情報表示領域に表示する。ロック部は、ユーザーによってトリガーされた第１の指定の操作を受け付け、情報表示領域に表示された情報をロックすることにより、情報表示領域がユーザーによってトリガーされたページ切替操作を受け付けた後に、該目的の文字に基づいて集約された情報の範囲内でのみ情報表示領域に表示される情報が切り替えられるようにする。こうして、ユーザーが情報表示領域内の目的の情報を選択する際にたまたま他の索引文字に指を触れたせいで、文字索引領域で目的の文字を再選択するという不要な操作が発生することを回避でき、操作がより快適になる。
【００４４】
上述した実施形態の説明に基づくと、本発明は汎用ハードウェアに加えてソフトウェアによって実施されてもよいし、ハードウェアのみによって実施されてもよいということが、明確に理解できるであろう。大体の場合、前者がより好ましい実施方法である。このような理解に基づき、本発明の技術的解決法を基本的にソフトウェア製品の形態で実施してよく、又は従来技術に寄与する部分をソフトウェアの形態で実施してもよい。ソフトウェア製品は、コンピューターのフロッピー（登録商標）ディスク、ハードディスク、光ディスク等の可読記憶媒体に格納され、本発明の実施形態に記載の方法を実行するようコンピューター機器（パーソナルコンピューター、サーバー、ネットワーク装置等であってよい）に指示するための命令を含む。
【００４５】
上記は、単に本発明の具体的な実施方法を記載したに過ぎず、本発明の保護範囲を限定するものではない。本発明において開示された技術範囲において当業者が容易に想到する変更や置換は、本発明の保護範囲に該当するものとする。したがって、本発明の保護範囲は、特許請求の範囲の保護範囲に応じるものとする。
【図２】
0005968471.tif 000002
【図３】
0005968471.tif 000003
【図４】
0005968471.tif 000004
【図５】
0005968471.tif 000005
【図１】
0005968471.tif 000006